(57)【要約】【課題】 無線移動通信システムで外部ループ電力制御を通じて閉ループ電力制御のための基準値を効率的に調整してリンク性能を安定に維持しつつセル容量を増加させる方法を提供する。【解決手段】本発明は、無線移動通信システムにおける基地局が外部ループ電力制御方式で端末の伝送電力を制御する方法であって、端末と呼が設定されている状態であるノーマル状態で端末から予め定められた時間の間にパケットが受信されないと、無データ(No  data)状態に遷移し、第１の値だけ電力制御基準値を周期的に低くする段階と、無データ状態で端末からパケットを受信し始めると、第２の値だけ電力制御基準値を高くし、データスタート状態に遷移する段階とを有することを特徴とする。【選択図】  図４
2008211797.tif 000002
【特許請求の範囲】
【請求項１】
無線移動通信システムにおける基地局が外部ループ電力制御方式で端末の伝送電力を制御する方法であって、
前記端末と呼が設定されている状態であるノーマル状態で前記端末から予め定められた時間の間にパケットが受信されないと、無データ(No  data)状態に遷移し、第１の値だけ電力制御基準値を周期的に低くする段階と、
前記無データ状態で前記端末からパケットを受信し始めると、第２の値だけ前記電力制御基準値を高くし、データスタート状態に遷移する段階と、
を有することを特徴とする電力制御方法。
【請求項２】
前記パケットは少なくとも２個以上のサブパケットを含むことを特徴とする請求項１に記載の電力制御方法。
【請求項３】
前記基準値が第３の値以下に減少した場合に、前記電力制御基準値を前記第３の値に維持する段階をさらに有することを特徴とする請求項１に記載の電力制御方法。
【請求項４】
前記ノーマル状態で前記端末からパケットを受信する段階と、
前記パケットが正常に復号化されるか否かを判定する段階と、
前記パケットの復号化が成功した場合に、前記パケットの伝送回数が予め定められた伝送回数以下であれば、前記電力制御基準値を第４の値だけ低くする段階と、
前記パケットの復号化が失敗した場合に、前記パケットが最終のサブパケットであるか否かを判定する段階と、
前記パケットが最終のサブパケットである場合、あるいは前記パケットの伝送回数が予め定められた伝送回数を超えた場合に、前記電力制御基準値を第５の値だけ増加させる段階と、
をさらに有することを特徴とする請求項２に記載の電力制御方法。
【請求項５】
最初に伝送するパケットに使用されるデータチャンネル利得と前記最初に伝送するパケット以外のパケット伝送に使用されるデータチャンネル利得との差を前記端末に通知する段階をさらに有することを特徴とする請求項１に記載の電力制御方法。
【請求項６】
最初に伝送するパケットに使用されるＲＲＩ(Reverse  Rate  Indicator)チャンネル利得と前記最初に伝送するパケット以外のパケット伝送に使用されるＲＲＩチャンネル利得との差を前記端末に通知する段階をさらに有することを特徴とする請求項１に記載の電力制御方法。
【請求項７】
無線移動通信システムにおける基地局による電力制御方法であって、
端末からパケットを受信するデータスタート状態にある間、予め定められたパケット伝送回数と前記端末から受信するパケットの受信回数とを比較する段階と、
前記端末からの前記パケットの受信回数が前記予め定められたパケットの伝送回数以下である場合に、電力制御基準値を第１の値だけ減少させる段階と、
前記端末から受信するパケットの受信回数が前記予め定められたパケットの伝送回数を超える場合に、前記端末と呼が設定されている状態であるノーマル状態に遷移する段階と、
を有することを特徴とする電力制御方法。
【請求項８】
無線移動通信システムにおける基地局による電力制御方法であって、
端末とリンクは接続されているが、パケットの送受信がない状態である無データ(no  data)状態に存在する間、予め定められた周期ごとに第１の値だけ電力制御基準値を増加させ、或いは減少させる段階と、
前記端末との間でパケットの送受信を開始する場合に、前記電力制御基準値を第２の値だけ増加させた後にデータスタート状態に遷移する段階と、
を有することを特徴とする電力制御方法。
【請求項９】
前記第１の値は、予め定められたパケット伝送回数により正数又は負数の値を有することを特徴とする請求項８に記載の電力制御方法。
【請求項１０】
前記第２の値は、前記第１の値が負数である場合に正数値を、前記第１の値が正数である場合に０の値を、各々有することを特徴とする請求項９に記載の電力制御方法。
【請求項１１】
無線移動通信システムにおける基地局による電力制御方法であって、
前記端末と呼が設定されている状態であるノーマル状態で前記端末からパケットを受信する段階と、
前記パケットが正常に復号化されるか否かを判定する段階と、
前記パケットの復号化が成功した場合に、前記パケットの伝送回数が予め定められた伝送回数以下であれば、電力制御基準値を第１の値だけ低くする段階と、
前記パケットの復号化が失敗した場合に、前記パケットが最終のサブパケットであるか否かを判定する段階と、
前記パケットが最終サブパケットである場合、或いは前記パケットの伝送回数が予め定められた伝送回数を超えた場合に、前記電力制御基準値を第２の値だけ増加させる段階と、
を有することを特徴とする電力制御方法。
【請求項１２】
無線移動通信システムにおける電力を制御するための装置であって、
予め定められたパケットの伝送回数、パラメータ情報、及び復号化されたパケット情報を用いて状態遷移を制御するための状態遷移情報を出力する状態遷移制御器と、
前記予め定められたパケットの伝送回数、パラメータ情報、及び復号化されたパケット情報だけでなく前記状態遷移情報を入力し、電力制御基準値を調節する電力制御基準値制御器と、
を含むことを特徴とする電力制御装置。
【請求項１３】
前記復号化されたパケットに関する情報を出力するデコーダと、
前記パラメータ情報を出力するパラメータ制御器と、
をさらに含むことを特徴とする請求項１２に記載の電力制御装置。
【請求項１４】
前記復号化されたパケット情報は、端末のパケット伝送回数及びパケットの復号化が成功したか否かに関する情報のうち少なくとも一つを含むことを特徴とする請求項１３に記載の電力制御装置。
【請求項１５】
前記パラメータ情報は、第１の状態で前記電力制御基準値を増加させ、或いは減少させるための第１のパラメータに関する情報と、第２の状態で前記電力制御基準値を減少させるための第２のパラメータに関する情報と、前記第１の状態から前記第２の状態に遷移する場合に、前記電力制御基準値を０以上に増加させるための第３のパラメータに関する情報と、第３の状態で前記電力制御基準値を減少させるための第４のパラメータに関する情報と、前記第３の状態で前記電力制御基準値を増加させるための第５のパラメータに関する情報と、を含むことを特徴とする請求項１３に記載の電力制御装置。
【請求項１６】
前記第１の状態は、端末とリンクは接続されているが、パケットの送受信がない状態である無データ状態であることを特徴とする請求項１５に記載の電力制御装置。
【請求項１７】
前記第２の状態は、端末との間でパケットを送受信する状態であるデータスタート状態であることを特徴とする請求項１５に記載の電力制御装置。
【請求項１８】
前記第３の状態は、端末と呼が設定されている状態であるノーマル状態であることを特徴とする請求項１５に記載の電力制御装置。
【請求項１９】
前記電力制御基準値制御器は、前記予め定められたパケットの伝送回数と端末のパケットの伝送回数とを比較し、該比較結果により、前記第４のパラメータ及び第５のパラメータの内の１つを選択し、該選択されたパラメータを使用して前記電力制御基準値を調節することを特徴とする請求項１５に記載の電力制御装置。
【発明の詳細な説明】
【技術分野】
【０００１】
本発明は、無線移動通信システムにおける電力制御に関するもので、特に、電力制御のための基準値(setpoint)を効率的に調整することにより、リンク性能を安定的に維持しつつセル容量を増加させるための方法に関するものである。
【背景技術】
【０００２】
無線移動通信システムでは、多重接続による干渉を減少しつつデータチャンネルの品質を一定の水準以上に維持するために、電力制御を遂行する。この電力制御は、順方向リンクと逆方向リンクの両方に適用されることができる。電力制御は、開ループ、閉ループ、及び外部ループ方式に区分され、必要に応じて３つの方式の中で一部だけを使用して実現し、或いは３つの方式をすべて使用して実現することができる。
【０００３】
以下、端末がハンドオフ(handoff)状態にある場合における、逆方向リンクのための３つの電力制御方法について説明する。
【０００４】
図１は、端末がハンドオフ状態にある場合の逆方向リンクに対する電力制御を示すブロック図である。
【０００５】
(１)開ループ(open-loop)電力制御
図１の端末(Access Terminal：ＡＴ)１１０の受信機（receiver）は、基地局(Base Transceiver Station：ＢＴＳ)Ａ１２０及び基地局Ｂ１３０から受信されたパイロット信号の平均受信電力を測定した後に、逆方向リンクに伝送するパイロット信号の伝送電力を、順方向リンクのパイロット信号の電力に反比例する値に設定する。すなわち、順方向リンクのパイロット信号の受信電力が大きい場合には、該端末と基地局とのリンクが良好であることを意味するため、端末１１０の受信機は、逆方向リンクのパイロット信号の伝送電力を減少させ、その反対に、順方向リンクのパイロット信号の受信電力が小さい場合には、基地局とのリンクが悪いことを意味するため、逆方向リンクのパイロット信号の伝送電力を増加させる。かかる過程を通じて、端末１１０は、その位置に関係なく、基地局１２０，１３０に受信されるパイロット信号の平均電力を一定の水準に維持させる。
【０００６】
(２)閉ループ(closed-loop)電力制御
順方向リンクと逆方向リンクとの間でのチャンネルの特性差、各端末によるパイロット信号受信電力の推定誤差などによって、基地局により受信される各端末からの信号の平均電力は変わる。このような端末間の電力差を補償するために、図１の基地局１２０，１３０は、各端末１１０から受信されたパイロット信号の信号対雑音比(Signal-to-Noise Ratio：ＳＮＲ)を推定し、該推定された信号対雑音比の値を基地局１２０，１３０が設定した基準値と比較することによって、ＲＰＣビット(Reverse Power Control bit)を生成する。すなわち、推定された信号対雑音比が上記基準値に比べて大きい場合にはＲＰＣビットが‘１(DOWN）’に設定され、推定された信号対雑音比が上記基準値に比べて小さい場合には、ＲＰＣビットが‘０(UP)’に設定される。そして、基地局は、このＲＰＣビットを順方向リンクを通じて端末に伝送し、これにより、端末１１０のパイロット伝送電力が制御できるようになる。図１において、端末１１０がハンドオフ状態にあるため、該端末１１０は、ＢＴＳ−Ａ１２０とＢＴＳ−Ｂ１３０からＲＰＣビットを同時に受信する。このとき、端末１１０は、これら基地局１２０，１３０から受信されたＲＰＣビットがすべて‘０’である場合には、自機の伝送電力を増加させる。対照的に、一つ以上のＲＰＣビットが‘１’である場合には、端末１１０は、自機の伝送電力を減少させる。
【０００７】
(３)外部ループ電力制御(Outer-Loop Power Control：ＯＬＰＣ)
閉ループ電力制御に使用される基準値は、端末の移動速度、チャンネル状態、端末のデータ伝送速度などを考慮して、時間に従って変更されなければならない。外部ループ電力制御方式は、基地局の逆方向データの受信性能の時間的変化を考慮して、電力制御のための基準値を能動的に調節することができる。図１におけるＢＴＳ−Ａ１２０及びＢＴＳ−Ｂ１３０により受信されたパケット情報は、基地局制御器(Base  Station  Controller：ＢＳＣ)１４０に伝送される。基地局制御器１４０は、２つの基地局１２０，１３０から受信されたパケット情報を結合し、パケットを正常に受信した場合には電力制御基準値を減少させ、パケットを正常に受信していない場合には基準値を増加させる。基地局制御器１４０で新たに計算された基準値は、ＢＴＳ−Ａ１２０及びＢＴＳ−Ｂ１３０に伝送されて、閉ループ電力制御に使用される。
【０００８】
図２は、ＣＤＭＡ  １ｘＥＶ-ＤＯシステムの逆方向リンクに使用されるＯＬＰＣアルゴリズムを示す。
【０００９】
図２を参照すると、無データ(No Data)状態２１０は、端末が逆方向リンク接続を維持しているが、データは伝送しない状態を示す。上述したように、外部ループ電力制御による基準値変更は、端末から受信されたデータ情報を用いて遂行されるので、基地局が受信するデータがない無データ(No  Data)状態２１０では、基準値が正常に制御されることができない。したがって、無データ状態２１０では、データの受信性能を保守的に保障するために、電力制御基準値(Power  Control  Threshold：ＰＣＴ）を一定量(NoDataAutoUp) だけ周期的に増加させる(PCT＝PCT＋NoDataAutoUp)。無データ状態２１０において、端末の逆方向リンクの接続が切られると、非アクティブ(Inactive)状態２２０への状態遷移が遂行され、また、端末からデータが受信されると、データスタート(Data Start)状態２３０への状態遷移が遂行される。
【００１０】
非アクティブ状態２２０は、端末と基地局の接続が断絶され、外部ループ電力制御アルゴリズムが動作しない状態を示す。この非アクティブ状態２２０において、端末と基地局との間の呼が設定されて外部ループ電力制御アルゴリズムが開始されると、ＰＣＴが初期化され(PCT＝InitialSetpoint)、ノーマル(Normal)状態２４０への状態遷移が遂行される。
【００１１】
データスタート状態２３０は、無データ状態２１０であった端末がデータ伝送を開始する状態を示す。端末の無データ状態２１０が長くなると、ＰＣＴが継続して増加し、このためＰＣＴの値が必要以上に大きくなりうる。したがって、データスタート状態２３０では、パケットが正常(Good)に受信された場合に、ＰＣＴの値をDataStartDownだけ低くする。対照的に、受信パケットに誤りが発生した場合には、基準値が適切であるため、ノーマル(Normal)状態２４０への状態遷移が遂行される。
【００１２】
ノーマル状態２４０では、端末から受信されたパケットが正常に受信されたか否かによって基準値が変更される。すなわち、パケットが正常に受信された場合にはＰＣＴをNormalDownだけ減少させ、受信パケットに誤りが発生した場合にはＰＣＴをNormalUpだけ増加させる。この場合、目標パケット誤りレート(Packet  Error  Rate：ＰＥＲ)とNormalUp、NormalDownとの間の関係は、次の＜数式１＞の通りである。
【００１３】
【数１】
2008211797.tif 000003
【００１４】
ノーマル状態２４０で、一定時間の間にデータが受信されないと、無データ状態２１０への状態遷移が遂行される。
【００１５】
図３は、無データ状態における基地局の動作手順を示すフローチャートである。
【００１６】
図３を参照すると、ステップＳ３０１で、基地局は、ノーマル状態において一定の時間の間データが受信されないために、無データ状態に遷移する。すると、ステップＳ３０２で、基地局は、ＰＣＴ_０を現在のＰＣＴ値に初期化する。続くステップＳ３０３で、基地局は、フレーム(frame)ごとにデータが受信されたか否かを判定し、データが受信されない場合にはステップＳ３０４に進み、データが受信された場合にはステップＳ３０６に進んでデータスタート状態に遷移する。ステップＳ３０４で、基地局は、電力制御基準値を保守的に設定するために、ＰＣＴの値をNoDataAutoUpだけ増加させる。次のステップＳ３０５で、基地局は、無データ状態でＰＣＴが過度に増加することを防ぐために、下記の＜数式２＞のように２つの上限値(PCT＋0＋MaxIncreaseNodata、MaxPCTNoData）を用いて、ＰＣＴの最大値を制限する。そして、基地局は、ステップＳ３０３に戻って、上述した手順を繰り返す。
【００１７】
【数２】
2008211797.tif 000004
【００１８】
上述した外部ループ電力制御アルゴリズムによれば、端末が一定の時間以上の間にデータを伝送しないと、端末は、無データ状態に遷移される。このとき、基地局制御器に受信されるパケット情報がないので、ノーマル状態のように電力制御基準値を調整することができない。しかしながら、端末は、無データ状態で、任意の時間にデータ伝送を始めることができる。無データ状態で基準値を調整せずにそのまま維持する場合には、端末の移動などによってチャンネル状態が悪くなると、端末でデータ伝送を始めるときに、ＰＥＲ(Packet  Error  Rate)が一時的に増加し得る。従来の外部ループ電力制御アルゴリズムでは、このような問題を緩和するために、無データ状態で電力制御基準値を周期的に増加させる方法を使用する。基地局と接続された端末は、データを伝送しない場合にもリンク接続を維持するために、逆方向リンクにパイロット信号と制御チャンネルを伝送し、このパイロット信号と制御チャンネル信号は、他の端末に干渉として作用する。したがって、従来の外部ループ電力制御アルゴリズムを使用すると、相当数の端末が無データ状態にあり、一部の端末のみが逆方向データを伝送する場合に、無データ状態にある端末の電力制御基準値が不必要に増加して、データを伝送する端末に及ぼす干渉量が増加するようになる。この結果、逆方向リンクの容量が減少するという問題点があった。
【特許文献１】韓国特許公開公報２００１−００７５８２８号明細書
【発明の開示】
【発明が解決しようとする課題】
【００１９】
したがって、本発明は、上述した従来技術の問題点を解決するために提案されたものであり、その目的は、無線移動通信システムで外部ループ電力制御を通じて閉ループ電力制御のための基準値を効率的に調整することにより、リンク性能を安定に維持しつつセル容量を増加させる方法を提供することにある。
【課題を解決するための手段】
【００２０】
上記のような目的を達成するために、本発明の第１の側面は、無線移動通信システムにおける基地局が外部ループ電力制御方式で端末の伝送電力を制御する方法であって、端末と呼が設定されている状態であるノーマル状態で端末から予め定められた時間の間にパケットが受信されないと、無データ(No  data)状態に遷移し、第１の値だけ電力制御基準値を周期的に低くする段階と、無データ状態で端末からパケットを受信し始めると、第２の値だけ電力制御基準値を高くし、データスタート状態に遷移する段階と、を有することを特徴とする。
【００２１】
本発明の第２の側面は、無線移動通信システムにおける基地局による電力制御方法であって、端末からパケットを受信するデータスタート状態にある間、予め定められたパケット伝送回数と端末から受信するパケットの受信回数とを比較する段階と、端末からのパケットの受信回数が予め定められたパケットの伝送回数以下であれば、電力制御基準値を第１の値だけ減少させる段階と、端末から受信するパケットの受信回数が前記予め定められたパケットの伝送回数を超える場合に、端末と呼が設定されている状態であるノーマル状態に遷移する段階と、を有することを特徴とする。
【００２２】
本発明の第３の側面は、無線移動通信システムにおける基地局による電力制御方法であって、端末とリンクは接続されているが、パケットの送受信がない状態である無データ状態に存在する間、予め定められた周期ごとに第１の値だけ電力制御基準値を増加させ、或いは減少させる段階と、端末との間でパケットの送受信を開始する場合に、電力制御基準値を第２の値だけ増加させた後にデータスタート状態に遷移する段階と、を有することを特徴とする。
【００２３】
本発明の第４の側面は、無線移動通信システムにおける基地局による電力制御方法であって、端末と呼が設定されている状態であるノーマル状態で端末からパケットを受信する段階と、パケットが正常に復号化されるか否かを判定する段階と、パケットの復号化が成功した場合に、パケットの伝送回数が予め定められた伝送回数以下であれば、電力制御基準値を第１の値だけ低くする段階と、パケットの復号化が失敗した場合に、パケットが最終のサブパケットであるか否かを判定する段階と、パケットが最終サブパケットである場合、或いはパケットの伝送回数が予め定められた伝送回数を超えた場合に、電力制御基準値を第２の値だけ増加させる段階と、を有することを特徴とする。
【００２４】
本発明の第５の側面は、無線移動通信システムにおける電力を制御するための装置であって、予め定められたパケットの伝送回数、パラメータ情報、及び復号化されたパケット情報を用いて状態遷移を制御するための状態遷移情報を出力する状態遷移制御器と、予め定められたパケットの伝送回数、パラメータ情報、及び復号化されたパケット情報だけでなく状態遷移情報を入力し、電力制御基準値を調節する電力制御基準値制御器と、を含むことを特徴とする。
【発明の効果】
【００２５】
本発明による電力制御方法が無線移動通信システムに適用される場合には、電力制御のための基準値を効率的に調整することができるため、リンク性能を安定的に維持しつつセル容量を増加させることができる。
【発明を実施するための最良の形態】
【００２６】
以下、本発明の望ましい実施形態を添付の図面を参照して詳細に説明する。
【００２７】
以下の記述においては、本発明に関連した公知の機能又は構成に関する具体的な説明が本発明の要旨を不明にすると判断された場合に、その詳細な説明を省略する。後述する用語は、本発明における機能を考慮して定義されたもので、これはユーザー、運用者の意図又は慣例などによって変わることができる。したがって、この用語は、本明細書の全般にわたる内容に基づいて定義されるべきである。
【００２８】
以下の実施の形態では、ＣＤＭＡ  １ｘＥＶ-ＤＯ  Ｒｅｖ.Ａ(以下、“ＤＯ  Ｒｅｖ.Ａ”とする)を例に挙げて本発明の電力制御方法を説明するが、本発明はこれに限定されず、他の通信システムにも適用することができる。
【００２９】
ＤＯ  Ｒｅｖ.Ａでは、Ｈ-ＡＲＱ(Hybrid Automatic Repeat Request)を適用することにより、一つのパケットが４個のサブパケット(subpacket)に分割される。送信機（transmitter）は、４個のサブパケットを一つずつ伝送（送信）し、受信機がこれらサブパケットをすべて成功的に受信すると、新たなパケットを伝送する。そうでなければ、送信機は、次のサブパケットを伝送する。ＤＯ  Ｒｅｖ.Ａでは、ターゲットＰＥＲを満たすためのサブパケットの伝送回数を予め設定するが、これを‘ターミネーションターゲット(Termination  Target：以下、“TermTarget”とする)’と定義する。すなわち、一つのサブパケットが４スロットの間に伝送されるため、サブパケットを２回伝送してターゲットＰＥＲを満たす場合にはTermTarget＝８となり、サブパケットを４回伝送してターゲットＰＥＲを満たす場合にはTermTarget＝１６となる。ＤＯ  Ｒｅｖ.Ａでは、予め設定されたTermTargetを満たすように電力制御を遂行する。
【００３０】
図４は、本発明の実施形態による外部ループ電力制御アルゴリズムを示す。
【００３１】
図４を参照すると、無データ状態４０１では、ＰＣＴにNoDataAutoDeltaを加える(PCT＝PCT＋NoDataAutoDelta)。このとき、NoDataAutoDeltaは、TermTargetにより正数または負数の値を有する。一般的に、TermTarget値が基準値より小さい場合には、伝送遅延に敏感なパケットが伝送される可能性が大きいため、NoDataAutoDeltaは、従来の外部ループ電力制御アルゴリズムのように正数に設定される。一方、TermTarget値が基準値より大きい場合には、NoDataAutoDeltaは負数に設定される。
【００３２】
NoDataAutoDeltaを負数に設定すると、端末が無データ状態４０１で動作する間にＰＣＴが周期的に減少するので、端末は、基地局との接続を維持するために伝送するパイロット信号及び制御チャンネルに使用する電力を減少させる。したがって、複数の端末が無データ状態４０１にある場合には、現在無データ状態４０１にある端末らの信号による干渉が減少するため、ノーマル状態４０４でデータを伝送する端末の伝送容量は、増加する。
【００３３】
無データ状態４０１で基地局との接続が終了すると、端末は、非アクティブ状態４０２に遷移する。また、基地局が無データ状態４０１の端末からパケットを受信すると、該基地局は、ＰＣＴにDataStartDeltaを加えた後に、データスタート状態４０３に遷移する。このとき、NoDataAutoDeltaが正数である場合には、DataStartDeltaを０に設定して、従来の外部ループ電力制御アルゴリズムと同一の動作が遂行される。対照的に、NoDataAutoDeltaが負数である場合には、DataStartDeltaを正数に設定し、これによりＰＣＴの値を増加させる。このような設定を通じて、無データ状態４０１では、ＰＣＴ値が減少した状態で端末がパケットを伝送する場合に、ＰＣＴ値を直ちに増加させ、これにより、データチャンネルの性能劣化を最小化する。
【００３４】
非アクティブ状態４０２での動作は、図２に示した従来の外部ループ電力制御アルゴリズムと同一である。すなわち、端末と基地局の呼が設定されると、基地局は、ＰＣＴを初期化してノーマル状態４０４に遷移する。
【００３５】
データスタート状態４０３では、受信されたパケットがTermTargetを満たすか否かを確認する。この結果、受信されたパケットがTermTargetを満たす場合(TermTarget＝SATISFIED)には、ＰＣＴをDataStartDownだけ減少させて(PCT＝PCT−DataStartDown)、さらに、データスタート状態４０３が維持される。一方、受信されたパケットがTermTargetを満たさない場合(TermTarget＝UNSATISFIED)には、ノーマル状態４０４への状態遷移が遂行される。
【００３６】
ノーマル状態４０４で、正常に復号化されたパケットがTermTargetを満たす場合、すなわち当該パケットの伝送回数がTermTargetの値と等しい或いはこの値未満である場合には、端末の伝送電力が十分であることを意味するため、基地局は、ＰＣＴの値をNormalDownだけ減少させる(PCT＝PCT−NormalDown)。その反面、基地局がパケットの復号化に失敗し、パケットが最後のサブパケットに該当する場合、或いはパケットの復号化には成功したが、パケットの伝送回数がTermTarget値を超える場合には、端末の伝送電力が十分でないことを意味するため、基地局は、ＰＣＴの値をNormalUpだけ増加させる(PCT＝PCT＋NormalUp)。そして、一定時間の間パケットが受信されない場合には、無データ状態４０１への状態遷移が行われる。
【００３７】
図５は、本発明の実施形態による無データ状態での基地局の動作手順を示すフローチャートである。
【００３８】
図５を参照すると、基地局は、ステップＳ５０１で、ノーマル状態で一定時間の間にパケットが受信されないため、無データ状態に遷移され、次のステップＳ５０２で、現在のＰＣＴ値をＰＣＴ_０として格納する。続くステップＳ５０３で、基地局は、TermTargetが定数Ｋ以下であるか否かを判定し、ＹＥＳすなわちＫ以下である場合にはステップＳ５０４に進み、ＮＯすなわちＫよりも大きい場合にはステップＳ５０９に進む。このとき、定数Ｋは、TermTarget別に、無データ状態における動作を区分する役割をし、４スロットの間にサブパケットを伝送する回数により、{０，４，８，１２，１６}のうちの一つの値を有する。
【００３９】
ステップＳ５０４では、TermTargetがＫ以下であるので、従来の外部ループ電力制御方式に動作するようにするために、基地局は、NoDataAutoDeltaを正数値であるNoDataAutoUpに設定し、DataStartDeltaを０に設定する。このとき、NoDataAutoUpは、無データ状態でのＰＣＴ値の更新周期、ＰＣＴ値の増加速度によって決定される定数である。ステップＳ５０５で、基地局は、パケットが正常に復号化されたか、或いは４番目のサブパケットまで受信されたか(subpktID＝3)を確認する。
【００４０】
パケットが正常に復号化され、或いは４番目のサブパケットまで受信された場合には、基地局は、ステップＳ５０８に進んでＰＣＴ値をDataStartDeltaだけ増加させ、次のステップＳ５１３でデータスタート状態に遷移する。このとき、DataStartDelta＝０であるため、ＰＣＴ値はそのまま維持される。対照的に、ステップＳ５０５での確認の結果、パケットが正常に復号化されず、受信されたサブパケットが４番目のサブパケットでない場合には、端末から受信したパケットがないことを意味するので、基地局は、ステップＳ５０６に進む。基地局は、ステップＳ５０６でＰＣＴ値をNoDataAutoDeltaだけ増加させ、続くステップＳ５０７では、上限値を用いて、無データ状態でＰＣＴ値が過度に増加しないように、ＰＣＴ値を制限する。ステップＳ５０７では、＜数式２＞によりＰＣＴ値が計算され、ここで、MaxIncreaseNoDataはＰＣＴ_０を基準として無データ状態でＰＣＴが最大に増加できる量を表し、MaxPCTNoDataは無データ状態でＰＣＴの持つことができる最大値を表す。基地局は、ステップＳ５０６及びＳ５０７でＰＣＴを更新した後に、ステップＳ５０５に戻って上記の手順を繰り返す。
【００４１】
ステップＳ５０９で、基地局は、NoDataAutoDeltaを−NoDataAutoUpとして定義して負数になるようにし、DataStartDeltaをDataStartUpに設定する。このとき、DataStartUpは、正数値として、無データ状態でのＰＣＴ値の増加量、ターミネーションターゲットなどによって決定される。ステップＳ５１０で、基地局は、パケットの復号化が成功したか否かと、受信されたサブパケットのＩＤとを確認する。パケットが正常に復号化され、あるいはサブパケットのＩＤがＬの値以上である場合には、基地局は、ステップＳ５０８に進んでＰＣＴ値をDataStartDeltaだけ増加させ、ステップＳ５１３でデータスタート状態に遷移する。一方、ステップＳ５１０で、パケットが正常に復号化されず、受信されたサブパケットのＩＤがＬ未満である場合には、基地局は、ステップＳ５１１に進む。ここで、Ｌは、パケットが受信されたか否かを判定するための定数値であり、{０，１，２，３}のうちの一つの値を有する。
【００４２】
ステップＳ５１１で、基地局は、ＰＣＴ値にNoDataAutoDeltaを加えることにより、ＰＣＴ値を減少させる。次のステップＳ５１２で、基地局は、無データ状態でＰＣＴが過度に小さくならないように、下限値を用いてＰＣＴ値を制限する。ステップＳ５１２での演算は、下記の＜数式３＞に基づいて行われる。
【００４３】
【数３】
2008211797.tif 000005
【００４４】
上記の＜数式３＞において、MaxDecreaseNoDataは、ＰＣＴ_０を基準として無データ状態でＰＣＴが減少できる最大値を表し、MinPCTNoDataはＰＣＴが無データ状態で持つことができる最小値を表す。ステップＳ５１１及びＳ５１２でＰＣＴを更新した後に、基地局は、ステップＳ５１０に戻って上記の手順を繰り返す。
【００４５】
図６は、本発明の実施形態によるノーマル状態での動作を示すフローチャートである。
【００４６】
図６を参照すると、基地局は、ステップＳ６０１で、データスタート状態又は非アクティブ状態からノーマル状態に遷移すると、続くステップＳ６０２で、「TimeInNoData」と呼ばれるタイマーを初期化する。基地局は、次のステップＳ６０３で、受信されたパケットがあるか否かを判定し、ＹＥＳすなわち基地局により受信されたパケットがある場合にはステップＳ６０４に進み、ＮＯすなわち受信されたパケットがない場合にはステップＳ６１０に進む。
【００４７】
ステップＳ６０４で、基地局は、パケットが受信されたため、TimeInNoDataを初期化する。続くステップＳ６０５で、基地局は、パケットが正常に復号化されたか否かを確認し、パケットが正常に復号化された場合にはステップＳ６０６に進み、一方、パケットが正常に復号化されていない場合にはステップＳ６０８に進む。
【００４８】
ステップＳ６０６で、基地局は、復号化されたパケットがTermTarget以内に受信されたか否かを確認し、TermTarget以内に受信された場合にはステップＳ６０７に進み、一方、復号化されたパケットがTermTarget以内に受信されていない場合にはステップＳ６０９に進む。基地局は、ステップＳ６０７では、基地局がTermTarget以内でパケットを成功的に受信したため、ＰＣＴ値をNormalDownだけ減少させた後にステップＳ６０３に戻る。一方、ステップＳ６０９では、基地局がTermTarget以内にパケットを受信していないため、基地局は、ＰＣＴ値をNormalUpだけ増加させた後にステップＳ６０３に戻る。
【００４９】
基地局は、ステップＳ６０８で、受信されたパケットが最後のサブパケットであるか否かを確認し、ＹＥＳすなわち最後のサブパケットまで全て受信された場合には上述のステップＳ６０９に進み、ＮＯすなわち全てのサブパケットが受信されていない場合には、ＰＣＴを変更せずにステップＳ６０３に戻る。
【００５０】
ステップＳ６１０で、基地局は、ノーマル状態でパケットが受信されないため、パケットが受信されない時間を測定するために、TimeInNoDataの値を１だけ増加させる。続くステップＳ６１１で、基地局は、TimeInNoDataとTimeForNoDataとを比較し、TimeInNoDataが予め定められた時間TimeForNoDataよりも小さい場合にはステップＳ６０３に戻り、一方、TimeInNoDataがTimeForNoData以上である場合には、予め定められた時間以上のデータが受信されないので、ステップＳ６１２で無データ状態に遷移する。
【００５１】
一方、無データ状態で図５のステップＳ５０９〜Ｓ５１２のように動作すると、ＰＣＴ値が周期的に減少するため、端末が無データ状態でパケット伝送を再開するときに、初期に伝送される幾つかのパケットについての受信性能が低下され得る。したがって、このような受信性能の低下問題を緩和するために、データチャンネルとＲＲＩ(Reverse  Rate  Indicator)チャンネルの利得をブースティング(boosting)する。
【００５２】
図７は、受信性能の低下問題を緩和するためにデータチャンネルとＲＲＩチャンネルの利得をブースティングする方法を示す。
【００５３】
図７では、便宜上、Ｌ＝１であると仮定する。参照番号７１０は、外部ループ電力制御(ＯＬＰＣ)アルゴリズムの状態遷移を示す。初期には端末がデータを伝送しないため無データ状態であり、端末がパケット０の伝送を開始して基地局がサブパケット(Subpkt)１を受信すると、図５のステップＳ５１０の動作によってデータスタート状態に遷移する。基地局は、パケット０のSubpkt３を受信した後であっても、パケット０を正常に復号化しない場合には、ノーマル状態に遷移する。
【００５４】
データチャンネル７２０によって、端末は、無データ状態でパケット０の伝送を開始する。このとき、データチャンネルの利得はｇdata,1に設定される。無データ状態でパケット０の伝送が終了すると、その後に伝送されるパケット(パケット１，２など)に対するデータチャンネル利得はｇdata,2に設定される。このとき、ｇdata,2はノーマル状態で一般に使用されるデータチャンネルの利得であり、また、ｇdata,1は、無データ状態で初めて伝送されるパケットに適用されるチャンネル利得として、上記のｇdata,２より大きくまたは同一に定められる。
【００５５】
端末は、ＲＲＩチャンネル７３０を介して、データチャンネル７２０に伝送されるサブパケットの伝送速度とサブパケットのＩＤとを、基地局に通知する。データチャンネル７２０のパケットが伝送されない間では、端末は、伝送されるパケットがないことを基地局に通知するために、ヌル(Null)を伝送し、このとき、ＲＲＩチャンネル７３０の利得はｇRRI,1に設定される。無データ状態で、端末がパケットの伝送を始めると、当該端末は、ＲＲＩチャンネルに対するチャンネル利得をｇRRI,２に設定し、パケット０の伝送速度とサブパケットＩＤに関する情報を伝送する。そして、端末は、パケット０以後に伝送されるパケットに対しては、ＲＲＩチャンネル利得をｇRRI,3に設定し、伝送速度及びサブパケットＩＤに関する情報を伝送する。このとき、ｇRRI,3はノーマル状態で一般に使用されるＲＲＩチャンネルの利得であり、ｇRRI,1は伝送されるパケットがない状態でヌルを伝送する場合のＲＲＩチャンネルの利得として、ｇRRI,3gよりも小さく又はｇRRI,3gと同一の値に設定され、ｇRRI,2は無データ状態で初めてパケット伝送を開始する場合に適用されるＲＲＩチャンネルの利得として、ｇRRI,3よりも大きく又はｇRRI,3と同一の値に設定される。
【００５６】
無データ状態で図５のステップＳ５０９〜Ｓ５１２のように動作する場合に、無データ状態で初期に伝送されるパケットの受信性能が低下され得る。したがって、これを補償するために、参照番号７２０及び７３０で示すように、データチャンネル及びＲＲＩチャンネルの利得をブースティング(boosting)する。また、２番目以後のパケットの場合には、データスタート状態を経てノーマル状態に遷移して電力制御が正常に遂行されるため、データチャンネルとＲＲＩチャンネルのブースティングを適用しない。このような方法によって、無データ状態で初期に伝送されるパケットの受信性能の劣化を最小化することができる。
【００５７】
図８は、本発明の実施形態による電力制御装置の構成を示すブロック図である。
【００５８】
図８を参照すると、基地局は、予め設定されたTermTarget値を端末に通知する。TermTarget値を受信したパラメータ(parameter)制御器８０２は、受信されたTermTarget値を考慮して、電力制御基準値の調節に使用されるパラメータを初期化し、該初期化されたパラメータ情報を状態遷移制御器８０４及びＰＣＴ制御器８０６に出力する。このパラメータとしては、図４を参照して説明したように、NoDataAutoDelta、NormalDown、NormalUp、TimeForNoData、初期の基準値(setpoint)などがある。
【００５９】
状態遷移制御器８０４は、受信されたTermTarget値、すなわちパラメータ制御器８０２から受信されたパラメータ情報だけでなく、デコーダ８０８から受信された復号パケット情報を用いて、状態遷移情報を決定し、該決定された状態遷移情報をＰＣＴ制御器８０６に出力する。すなわち、図４を参照して説明したように、基地局は、最初に非アクティブ状態に初期化され、外部ループ電力制御が開始されると、ノーマル状態に遷移する。そして、ノーマル状態でパケットが一定時間以上受信されない場合には、基地局は、無データ状態に遷移する。基地局は、この無データ状態において、一定時間以上パケットが受信されないことにより、休止時間超過(dormancy  time  out)条件を満たすと、非アクティブ状態に遷移する。その反面、無データ状態でパケットが受信されると、基地局は、データスタート状態に遷移する。
【００６０】
デコーダ８０８は、逆方向リンクにより受信されるすべてのパケットを復号し、該復号されたパケットに関する情報（復号パケット情報）を状態遷移制御器８０４及びＰＣＴ制御器８０６に出力する。
【００６１】
ＰＣＴ制御器８０６は、受信されたTermTarget値、状態遷移情報、及び復号パケット情報を用いて、電力制御基準値すなわちＰＣＴ値を増加又は減少させる。
【００６２】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００６３】
【図１】端末がハンドオフ状態にある場合の逆方向リンクに対する電力制御を示す図である。
【図２】ＣＤＭＡ  １ｘＥＶ-ＤＯシステムの逆方向リンクに使用されるＯＬＰＣアルゴリズムを示す図である。
【図３】無データ状態における動作手順を示すフローチャートである。
【図４】本発明の実施形態によるＯＬＰＣアルゴリズムを示す図である。
【図５】本発明の実施形態による無データ状態における動作手順を示すフローチャートである。
【図６】本発明の実施形態によるノーマル状態における動作手順を示すフローチャートである。
【図７】本発明の実施形態により、データチャンネルとＲＲＩチャンネルの利得をブースティングする方法を示す図である。
【図８】本発明の実施形態による電力制御装置の構成を示すブロック図である。
【符号の説明】
【００６４】
１１０  ＡＴ送信機、ＡＴ受信機
１２０  ＢＴＳ−Ａ受信機、ＢＴＳ−Ａ送信機  
１３０  ＢＴＳ−Ｂ受信機、ＢＴＳ−Ｂ送信機  
１４０  ＢＳＣ外部ループ電力制御
２１０  無データ
２２０  非アクティブ
２３０  データスタート
２４０  ノーマル
４０１  無データ
４０２  非アクティブ
４０３  データスタート
４０４  ノーマル
８０２  パラメータ制御器
８０４  状態遷移制御器
８０６  ＰＣＴ制御器
８０８  デコーダ
【図１】
2008211797.tif 000006
【図２】
2008211797.tif 000007
【図３】
2008211797.tif 000008
【図４】
2008211797.tif 000009
【図５】
2008211797.tif 000010
【図６】
2008211797.tif 000011
【図７】
2008211797.tif 000012
【図８】
2008211797.tif 000013